(57)【要約】【課題】ウエスト立体ギャザーを有効に起立させるとともに、ウエスト開口部からの排泄物の漏れを効果的に防止できる吸収性物品を提供すること。【解決手段】本発明のパンツ型使い捨ておむつ１Ａは、液透過性の表面シート２と、液不透過性の裏面シート３と、これらシート間に配された吸収体４とを備え、背側部Ａと腹側部Ｂと股下部Ｃとに区分されている。おむつ１Ａは、少なくとも背側部Ａに、幅方向（Ｘ方向）に配された弾性部材７１を有するウエスト立体ギャザー７が、幅方向（Ｘ方向）に配され且つ股下部Ｃに向かう延出部７２を設けて形成されている。おむつ１Ａは、吸収体４が、ウエスト立体ギャザー７が配された背側部Ａにおける長手方向（Ｙ方向）の端部４１に凹状の切り欠き部４２を有している。【選択図】図１
2010099266.tif 000002
【特許請求の範囲】
【請求項１】
液透過性の表面シートと、液不透過性の裏面シートと、これらシート間に配された吸収体とを備え、背側部と腹側部と股下部とに区分された使い捨ておむつであって、
少なくとも前記背側部に、幅方向に配された弾性部材を有するウエスト立体ギャザーが、幅方向に配され且つ前記股下部に向かう延出部を設けて形成されており、
前記吸収体は、前記ウエスト立体ギャザーが配された前記背側部における長手方向の端部に凹状の切り欠き部を有している使い捨ておむつ。
【請求項２】
前記吸収体の前記凹状の切り欠き部が、該吸収体の幅方向中央部に形成されている請求項１に記載の使い捨ておむつ。
【請求項３】
前記吸収体の前記凹状の切り欠き部の底部が、前記ウエスト立体ギャザーの前記延出部の縁端よりも前記股下部寄りに形成されている請求項１又は２に記載の使い捨ておむつ。
【請求項４】
前記表面シート及び前記裏面シートの間にインジケーターが配されており、
前記インジケーターは、前記ウエスト立体ギャザーの前記延出部と重なる位置に形成され且つ前記吸収体と重ならない位置に形成されている請求項１〜３の何れかに記載の使い捨ておむつ。
【請求項５】
前記インジケーターが、前記凹状の切り欠き部に形成されている請求項１〜４の何れかに記載の使い捨ておむつ。
【発明の詳細な説明】
【技術分野】
【０００１】
本発明は、ウエスト立体ギャザーを備えた使い捨ておむつに関する。
【背景技術】
【０００２】
従来より、ウエスト開口部からの排泄物の漏れを防止するために、ウエスト立体ギャザーを備えた使い捨ておむつが知られている。例えば、特許文献１には、ウエスト立体ギャザーを備えた展開型の使い捨ておむつが開示されている。また、特許文献２には、ウエスト立体ギャザーを備えたパンツ型の使い捨ておむつが開示されている。
【０００３】
しかし、特許文献１及び特許文献２に記載の使い捨ておむつにおいては、何れも、ウエスト立体ギャザーの起立端の近傍に、剛性の高い吸収体が配されており、ウエスト立体ギャザーが有効に起立せず、ウエスト開口部からの排泄物の漏れを効果的に防止できない場合があった。
【０００４】
【特許文献１】特開２００２−１０２２７９号公報
【特許文献２】特開平４−３５４９４８号公報
【発明の開示】
【発明が解決しようとする課題】
【０００５】
したがって、本発明の目的は、ウエスト立体ギャザーを有効に起立させるとともに、ウエスト開口部からの排泄物の漏れを効果的に防止できる吸収性物品を提供することにある。
【課題を解決するための手段】
【０００６】
本発明は、液透過性の表面シートと、液不透過性の裏面シートと、これらシート間に配された吸収体とを備え、背側部と腹側部と股下部とに区分された使い捨ておむつであって、少なくとも前記背側部に、幅方向に配された弾性部材を有するウエスト立体ギャザーが、幅方向に配され且つ前記股下部に向かう延出部を設けて形成されており、前記吸収体は、前記ウエスト立体ギャザーが配された前記背側部における長手方向の端部に凹状の切り欠き部を有している使い捨ておむつを提供するものである。
【発明の効果】
【０００７】
本発明の吸収性物品によれば、ウエスト立体ギャザーが有効に起立するとともに、ウエスト開口部からの排泄物の漏れが効果的に防止できる。
【発明を実施するための最良の形態】
【０００８】
以下、本発明の使い捨ておむつであるパンツ型使い捨ておむつの好ましい第１実施形態について、図１〜図３に基づいて説明する。
【０００９】
第１実施形態のパンツ型使い捨ておむつ１Ａは、液透過性の表面シート２と、液不透過性の裏面シート３と、これらシート間に配された吸収体４とを備え、背側部Ａと腹側部Ｂと股下部Ｃとに区分されている。第１実施形態のパンツ型使い捨ておむつ１Ａは、少なくとも背側部Ａに、幅方向（以下「Ｘ方向」という。Ｘ方向：使い捨ておむつ１Ａの長手方向に延びる中心線ＣＬに垂直な方向をいう。）に配された弾性部材７１を有するウエスト立体ギャザー７が、幅方向（Ｘ方向）に配され且つ股下部Ｃに向かう延出部７２を設けて形成されている。第１実施形態のパンツ型使い捨ておむつ１Ａは、吸収体４が、ウエスト立体ギャザー７が配された背側部Ａにおける長手方向（以下「Ｙ方向」という。Ｙ方向：中心線ＣＬに平行な方向をいう。）の端部４１に凹状の切り欠き部を有している。
第１実施形態のパンツ型使い捨ておむつ１Ａは、図１に示すように、中心線ＣＬに対して左右対称に形成されている。従って以下の説明では、左右対称な部分については、主に、右側について説明する。
【００１０】
第１実施形態のパンツ型使い捨ておむつ１Ａについて、詳述すると、本実施形態のパンツ型使い捨ておむつ１Ａ（以下、「おむつ１Ａ」ともいう。）は、図１〜図３に示すように、吸収体４を含む本体５と、本体５の非肌当接面側に位置して該本体５と接着固定された外包材６とを備えている。外包材６は、図１に示すように、その長手方向（Ｙ方向）に、背側部Ａ、股下部Ｃ及び腹側部Ｂを有しており、外包材６における背側部Ａの両側縁部６ａ，６ａと腹側部Ｂの両側縁６ｂ，６ｂとが、それぞれ、接合されて一対のサイドシール部（不図示）を形成することにより、ウエスト開口部（不図示）及び一対のレッグ開口部（不図示）を有するパンツ型の使い捨ておむつ１Ａが形成される。外包材６の背側部Ａは、おむつ１Ａの装着時に、装着者の背側に配される部位であり、腹側部Ｂは、装着者の腹側に配される部位であり、股下部Ｃは、装着者の股間部に配される部位である。
【００１１】
外包材６は、図１に示すように、その両側縁が、長手方向（Ｙ方向）中央部において内方に括れた形状を有している。また、外包材６は、図２，図３に示すように、おむつの外面をなす外層シート６１、外層シート６１の内面側に配されている内層シート６２及び両シート６１，６２間に配設固定された複数本のウエスト弾性部材６３及び複数本のレッグ弾性部材６４ａ，６４ｂから形成されている。複数本の胴回り弾性部材６３は、背側部Ａ及び腹側部Ｂに設けられており、各胴回り弾性部材６３は、伸長状態で、幅方向（Ｘ方向）に配設固定されている。複数本のレッグ弾性部材６４ａ，６４ｂは、図１に示すように、レッグ開口部となる周縁部に沿って配され、各レッグ弾性部材６４ａ，６４ｂは、伸長状態で、配設固定されている。
【００１２】
外包材６の外層シート６１は、背側部Ａ及び腹側部Ｂにおいて、図１，図２に示すように、外層シート６１と内層シート６２とによってウエスト弾性部材６３を挟持固定する部位よりも更に長手方向（Ｙ方向）に延出する長さを有し、外層シート６１における内層シート６２よりも延出した延出領域６１ａ，６１ｂが本体５側に折り返されている。内層シート６２は、外層シート６１の延出領域６１ａ，６１ｂ以外の部分と同形である。
【００１３】
第１実施形態のおむつ１においては、背側部Ａの外層シート６１の延出領域６１ａは、ウエスト立体ギャザー７を形成する。ウエスト立体ギャザー７は、幅方向（Ｘ方向）に配され且つ股下部Ｃに向かう延出部７２を設けて形成されている。具体的には、図２に示すように、外層シート６１の延出領域６１ａが、股下部Ｃに向かって延出し、本体５の長手方向（Ｙ方向）の端部近傍に至るまで、外包材６の内層シート６２に固定され、ウエスト立体ギャザー７の固定部７３が形成されている。固定部７３を越えて股下部Ｃに向かって延出する外層シート６１の端縁は、更に本体５向きに折り返される。この折り返された部分に、幅方向（Ｘ方向）に延びるウエスト立体ギャザー形成用の弾性部材７１が、伸長状態で配設固定されることにより、ウエスト立体ギャザー７の延出部７２が形成されている。ウエスト立体ギャザー７の延出部７２の長手方向（Ｙ方向）の長さ（ｌ１）は、５ｍｍ〜５０ｍｍであることが好ましい。さらに、１０ｍｍ〜３０ｍｍであることが好ましい。
【００１４】
本体５は、図１〜図３に示すように、液透過性の表面シート２、液不透過性（撥水性も含む）の裏面シート３及び両シート２、３間に介在された液保持性の吸収体４を有しており、実質的に縦長である。本体５は、外包材６の背側部Ａから腹側部Ｂに跨って配設されており、本体５の長手方向（Ｙ方向）両端部は、外包材６の長手方向（Ｙ方向）両端部よりも長手方向（Ｙ方向）内方に後退した位置にある。本体５は、接着剤、ヒートシール、超音波シール等による接合法によって外包材６の内層シート６２に接合されている。
【００１５】
本体５の吸収体４は、図１に示すように、ウエスト立体ギャザー７が配された背側部Ａにおける長手方向（Ｙ方向）の端部４１に凹状の切り欠き部４２を有している。第１実施形態のおむつ１においては、切り欠き部４２は、図１に示すように、吸収体４の幅方向（Ｘ方向）中央部に、１個形成されている。また、第１実施形態のおむつ１においては、切り欠き部４２の底部４２ａが、図２に示すように、ウエスト立体ギャザー７の延出部７２の縁端７２ａよりも股下部Ｃ寄りに形成されている。股下部Ｃ寄りに形成されているか否かの判断は、装着状態で判断するのではなく、図１に示すように、おむつ１を平面状に拡げ、展開した状態で判断する。
【００１６】
本体５の長手方向（Ｙ方向）両側部には、図１，図３に示すように、液抵抗性又は撥水性で且つ通気性の素材から構成された側方カフス５１，５１が設けられている。各側方カフス５１の自由端部近傍には、側方カフス形成用の弾性部材５２が伸長状態で配設固定されている。側方カフス５１は、おむつの装着時に自由端部側が起立し、本体５の幅方向（Ｘ方向）への排泄物の流出を阻止することができる。側方カフス５１形成用シートは、おむつ１においては、本体５の幅方向（Ｘ方向）外側の所定幅の部分５１ａが、 吸収体４の非肌当接面側に巻き込まれて、吸収体４と裏面シート３との間に固定されているが、所定幅の部分５１ａが、裏面シート３と外包材６との間に固定されていてもよい。
【００１７】
第１実施形態のおむつ１においては、図１〜図３に示すように、表面シート２及び裏面シート３の間にインジケーター８が配されている。第１実施形態のおむつ１においては、図１，図２に示すように、インジケーター８は、ウエスト立体ギャザー７の延出部７２と重なる位置に形成され且つ吸収体４と重ならない位置に形成されている。第１実施形態のおむつ１においては、図１，図２に示すように、インジケーター８は、吸収体４の切り欠き部４２に形成されている。具体的には、インジケーター８は、図１に示すように、長方形状のものであり、本体５の長手方向（Ｙ方向）の端部近傍であって、幅方向（Ｘ方向）の中央部に配されている。インジケーター８は、図２に示すように、ウエスト立体ギャザー７の延出部７２、いわゆるポケットの中に配されており、吸収体４と重ならないように、吸収体４の切り欠き部４２に一部が延在するように、表面シート２及び裏面シート３の間に配されている。
【００１８】
第1実施形態のパンツ型使い捨ておむつ１Ａの形成材料について説明する。
表面シート２、裏面シート３、側方カフス５１形成用シート、外層シート６１及び内層シート６２としては、通常、使い捨ておむつ等の吸収性物品に用いられるものであれば、特に制限なく用いることができる。例えば、表面シート２としては、液透過性の不織布や、開孔フィルム、これらの積層体等を用いることができ、裏面シート３としては、樹脂フィルムや樹脂フィルムと不織布の積層体等を用いることができる。側方カフス５１形成用シートとしては、伸縮性のフィルム、不織布、織物またはそれらの積層シート等を用いることができる。外層シート６１及び内層シート６２としては、撥水性の不織布等を用いることができる。
【００１９】
吸収体４としては、通常、使い捨ておむつ等の吸収性物品に用いられるものであれば、特に制限なく用いることができる。例えば、吸収体４としては、パルプ等の繊維材料の繊維集合体又はこれに高吸収性ポリマーを担持させたものからを、ティッシュペーパーや透水性の不織布等の被覆材で包んでなるもの等を用いることができる。
【００２０】
側方カフス形成用の弾性部材５２、ウエスト弾性部材６３、レッグ弾性部材６４ａ，６４ｂ及びウエスト立体ギャザー形成用の弾性部材７１としては、通常、使い捨ておむつ等の吸収性物品に用いられるものであれば、特に制限なく用いることができる。例えば、天然ゴム、ポリウレタン、ポリスチレン−ポリイソプレン共重合体、ポリスチレン−ポリブタジエン共重合体、アクリル酸エチル−エチレン等のポリエチレン−αオレフィン共重合体等からなる伸縮性の材料等を用いることができる。
【００２１】
インジケーター８としては、通常、使い捨ておむつ等の吸収性物品に用いられるものであれば、特に制限なく用いることができる。例えば、裏面シート３とは別のフィルム若しくは不織布等のシート材又は裏面シート３に、排泄物と接触することにより発色、変色又は消色する色材を塗布したものを用いることができる。例えば、色材としては、ｐＨ指示薬と酸化化合物の混合物等を用いることができる。
【００２２】
次に上述した本発明の第１実施形態のパンツ型使い捨ておむつ１Ａを使用した際の作用効果について説明する。
第１実施形態のパンツ型使い捨ておむつ１Ａは、ウエスト開口部の周囲をサイド伸縮部が連続伸縮しているので、エスト立体ギャザー７の起立効果を発揮しやすい。
第１実施形態のおむつ１Ａは、図１〜図３に示すように、ウエスト立体ギャザー７が配された背側部Ａにおいて、吸収体４が、切り欠き部４２を有しているので、吸収体４の剛性が押さえられ、ウエスト立体ギャザー７の襞が寄りやすく有効に起立し易い。また、ウエスト立体ギャザー７が吸収体にかかる部位に切り欠き部４２があることにより、便を補足するポケットが形成される。ウエスト立体ギャザー７が有効に起立し、且つ、便を補足するポケットが形成されることにより、ウエスト開口部からの排泄物の漏れが効果的に防止できる。
【００２３】
また、第１実施形態のおむつ１Ａは、図１〜図３に示すように、吸収体４の幅方向（Ｘ方向）中央部に、吸収体４が、切り欠き部４２を有しているので、切り欠き部４２を挟む両端には、吸収体４が存在している。そのため、吸収体４の長手方向（Ｙ方向）の端部の両端からの排泄物の滲みだしを防止することができる。特に、第１実施形態のおむつ１Ａは、図２に示すように、切り欠き部４２の底部４２ａが、ウエスト立体ギャザー７の縁端７２ａよりも股下部Ｃ寄りに形成されているので、吸収体４の長手方向（Ｙ方向）の端部からの排泄物の滲みだしを効果的に防止することができる。
【００２４】
また、第１実施形態のおむつ１Ａは、図１〜図３に示すように、ウエスト立体ギャザー７の延出部７２と重なる位置であって、吸収体４と重ならない位置に、インジケーター８が配されている。そのため、吸収体４に吸収された排泄物の滲みだしによって、インジケーター８が反応することを抑え、ウエスト立体ギャザー７の延出部７２により堰き止められた排泄物によって、インジケーター８が反応するので、おむつの交換時期を適切に判断することが可能となる。特に、第１実施形態のおむつ１Ａは、図１，図２に示すように、インジケーター８が、吸収体４の切り欠き部４２に形成されているので、おむつ１の外観からインジケーター８の変化を確認しやすく、おむつの交換を適切に行うことが可能となる。
【００２５】
次に、本発明の捨ておむつの第２実施形態の展開型の使い捨ておむつについて、図４に基づいて説明する。
第２実施形態の展開型の使い捨ておむつ１Ｂについては、第１実施形態のパンツ型使い捨ておむつ１Ａと異なる点について説明する。特に説明しない点は、第１実施形態のパンツ型使い捨ておむつ１Ａと同様であり、第１実施形態のパンツ型使い捨ておむつ１Ａの説明が適宜適用される。
【００２６】
第２実施形態の展開型の使い捨ておむつ１Ｂ（以下、「おむつ１Ｂ」ともいう。）は、図４に示すように、表面シート２と、裏面シート３と、これら両シート２，３間に介在された吸収体４とを有しており、背側部Ａの左右両側には、連設された左右一対のファスニングテープ９，９が設けられており、腹側部Ｂの外面には、ファスニングテープ９を止着するターゲットテープ１０が設けられている。おむつ１Ｂは、図４に示すように、その両側縁が、長手方向（Ｙ方向）の中央部において内方に括れた形状を有しており、長手方向（Ｙ方向）の両端部の幅が、長手方向（Ｙ方向）中央部の幅よりも広くなっている。おむつ１Ｂは、おむつ１Ｂの内面をなす表面シート２と、おむつ１Ａの外面をなす裏面シート３とを接合することにより一体化して形成されている。おむつ１Ｂの長手方向（Ｙ方向）両側部には、図４に示すように、液抵抗性又は撥水性で且つ通気性の素材から構成された側方カフス５１，５１が設けられている。
【００２７】
おむつ１Ｂの裏面シート３は、図４に示すように、背側部Ａ及び腹側部Ｂにおいて、表面シート２よりも更に長手方向（Ｙ方向）に延出する長さを有し、裏面シート３における表面シート２よりも延出した延出領域３ａ，３ｂが表面シート２側に折り返されている。おむつ１Ｂにおいては、背側部Ａの裏面シート３の延出領域３ａが、ウエスト立体ギャザー７を形成する。
【００２８】
第２実施形態の展開型の使い捨ておむつ１Ｂの形成材料について説明する。
第２実施形態の展開型の使い捨ておむつ１Ｂについては、第１実施形態のパンツ型使い捨ておむつ１Ａと異なる点について説明する。特に説明しない点は、第１実施形態のパンツ型使い捨ておむつ１Ａと同様である。
【００２９】
ファスニングテープ９としては、通常、使い捨ておむつ等の吸収性物品に用いられるものであれば、特に制限なく用いることができ、例えば、「マジックテープ（登録商標）」（クラレ社製）等を用いることができる。ターゲットテープ１０としては、ファスニングテープ９のフック材と係合可能なループ材（メス部材）を特に制限なく用いることができる。
【００３０】
上述した本発明の第２実施形態の展開型の使い捨ておむつ１Ｂは、第１実施形態のパンツ型の使い捨ておむつ１Ａと同様の効果が得られる。
【００３１】
本発明の使い捨ておむつは、上述の第１実施形態及び第２実施形態の使い捨ておむつ１Ａ，１Ｂに何ら制限されるものではなく、適宜変更可能である。また、上述の第１実施形態及び第２実施形態の使い捨ておむつ１Ａ，１Ｂにおける各構成要件は、本発明の趣旨を損なわない範囲で、適宜組み合わせて実施できる。
【００３２】
例えば、上述の第１実施形態及び第２実施形態の使い捨ておむつ１Ａ，１Ｂにおいては、図１，図４に示すように、背側部Ａの外層シート６１の延出領域６１ａ及び裏面シート３の延出領域３ａだけがウエスト立体ギャザー７を形成しているが、背側部Ａの延出領域６１ａ，３ａに加えて、腹側部Ｂの外層シート６１の延出領域６１ｂ及び裏面シート３の延出領域３ｂもウエスト立体ギャザー７を形成していてもよい。
【００３３】
また、上述の第１実施形態の使い捨ておむつ１Ａにおいては、図２に示すように、背側部Ａの外層シート６１の延出領域６１ａが、ウエスト立体ギャザー７を形成し、第２実施形態の使い捨ておむつ１Ｂにおいては、図４に示すように、背側部Ａの裏面シート３の延出領域３ａが、ウエスト立体ギャザー７を形成しているが、外層シート６１又は裏面シート３とは別のウエスト立体ギャザー形成用シートを設けることによって、ウエスト立体ギャザー７を形成してもよい。ウエスト立体ギャザー形成用シートとしては、例えば、伸縮性のフィルム、不織布、織物またはそれらの積層シート等を用いることができる。
【００３４】
また、上述の第１実施形態及び第２実施形態の使い捨ておむつ１Ａ，１Ｂにおいては、図１，図４に示すように、吸収体４の切り欠き部４２が、吸収体４の幅方向（Ｘ方向）中央部に、１個形成されているが、中央部でなくてもよい。また、中央部に形成されたとしても、図５（ａ）に示すように、切り欠き部４２を挟む、吸収体４の長手方向（Ｙ方向）端部における両側が、長手方向（Ｙ方向）外方に延びるにつれて先細り形状となっていてもよい。また、切り欠き部４２は、１個だけでなく、図５（ｂ）に示すように、複数個（（図５（ｂ）では２個））形成されていてもよい。
【００３５】
また、上述の第１実施形態及び第２実施形態の使い捨ておむつ１Ａ，１Ｂにおいては、切り欠き部４２の底部４２ａが、図２に示すように、ウエスト立体ギャザー７の縁端７２ａよりも股下部Ｃ寄りに形成されているが、ウエスト立体ギャザー７の縁端７２ａよりも股下部Ｃ寄りでなくてもよい。
【００３６】
また、上述の第１実施形態及び第２実施形態の使い捨ておむつ１Ａ，１Ｂにおいては、図１，図４に示すように、インジケーター８が配されているが、配されてなくてもよい。また、配されていても、吸収体４の切り欠き部４２に形成されてなくてもよい。例えば、インジケーター８は、腹側部Ｂから股下部Ｃを通り背側部Ａに亘って連続しておむつの長手方向（Ｙ方向）に形成されていてもよい。
【００３７】
また、上述の第１実施形態及び第２実施形態の使い捨ておむつ１Ａ，１Ｂにおいては、図１，図４に示すように、長手方向（Ｙ方向）に長いインジケーター８が吸収体４の切り欠き部４２に形成されているが、吸収体４と重ならない位置に形成されていればよい。例えば、幅方向（Ｘ方向）に長いインジケーター８が吸収体４の切り欠き部４２に形成されていてもよい。
【図面の簡単な説明】
【００３８】
【図１】図１は、本発明の第１実施形態であるパンツ型使い捨ておむつを展開して伸張した状態を示す展開平面図である。
【図２】図２は、図１のＹ１−Ｙ１線断面図である。
【図３】図３は、図１のＸ１−Ｘ１線断面図である。
【図４】図４は、本発明の第２実施形態である展開型使い捨ておむつの伸張した状態を示す平面図である。
【図５】（ａ）及び（ｂ）は、吸収体の切り欠き部のその他の形状を示す平面図である。
【符号の説明】
【００３９】
１Ａ，１Ｂ  使い捨ておむつ
２  表面シート
３  裏面シート
４  吸収体
４１  吸収体４の背側部Ａにおける長手方向（Ｙ方向）の端部
４２  切り欠き部
４２ａ  底部
５  本体
５１  側方カフス
５２  側方カフス形成用の弾性部材
６  外包材
６１  外層シート
６２  内層シート
６３  ウエスト弾性部材
６４ａ，６４ｂ  レッグ弾性部材
７  ウエスト立体ギャザー
７１  ウエスト立体ギャザー形成用の弾性部材
７２  延出部
７２ａ  端縁
７３  固定部
８  インジケーター
９  ファスニングテープ
１０  ターゲットテープ
【図１】
2010099266.tif 000003
【図２】
2010099266.tif 000004
【図３】
2010099266.tif 000005
【図４】
2010099266.tif 000006
【図５】
2010099266.tif 000007